(57)【要約】【課題】  ユーザがアラーム設定を行った際に意図していた場所以外の場所でアラーム鳴動がなされる不都合を防止する。【解決手段】  充電台に設けられた非接触ＩＣＩＤや非接触ＩＣタグシールの非接触ＩＣＩＤをアラーム時刻と関連付けしてメモリ１３に記憶しておく。そして、現在時刻がアラーム時刻となった際に、再度、上記充電台或いは非接触ＩＣタグシールから非接触ＩＣＩＤの取得を図り、この取得した非接触ＩＣＩＤとメモリ１３に登録されている非接触ＩＣＩＤとが一致した場合のみ、所定のアラーム鳴動制御を行う。これにより、場所と時刻とを関連付けてアラーム制御を行うことができ、ユーザがアラーム設定を行った際に意図していた場所以外の場所でアラーム鳴動がなされる不都合を防止することができる。【選択図】  図１
2009250729.tif 000002
【特許請求の範囲】
【請求項１】
固有の識別情報が付された非接触無線通信機器と非接触無線通信を行うことで、該非接触無線通信機器から上記固有の識別情報を取得する非接触無線通信部と、
上記非接触無線通信部により上記非接触無線通信機器から取得された上記固有の識別情報に関連付けて、所望のアラーム時刻を示すアラーム時刻情報を記憶部に記憶する関連付け記憶制御部と、
現在時刻をカウントする計時部と、
所定のアラーム報知動作を行うアラーム報知部と、
上記計時部で計時されている現在時刻が、上記記憶部に記憶されているアラーム時刻情報で示されるアラーム時刻となった際に、上記非接触無線通信機器から上記固有の識別情報を取得するように上記非接触無線通信部を制御し、上記非接触無線通信部が上記固有の識別情報を取得できない場合、上記アラーム報知部を非報知制御し、上記非接触無線通信部により上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御する制御部と
を有するアラーム装置。
【請求項２】
請求項１に記載のアラーム装置であって、
少なくとも電話通信、及び／又は、電子メール通信を行うための無線通信部と、
上記電話着信、及び／又は、上記電子メール着信を報知するための着信報知部と、
少なくとも電話番号、及び／又は、電子メールアドレスが各ユーザ毎に登録されると共に、該各ユーザのうち、電話着信、及び／又は、電子メール着信を許可するユーザを示す着信許可情報が記憶された電話帳メモリとを有し、
上記制御部は、上記無線通信部を介して電話着信、及び／又は、電子メール着信があった際に、上記非接触無線通信機器から上記固有の識別情報を取得するように上記非接触無線通信部を制御し、上記非接触無線通信部が上記固有の識別情報を取得でき、かつ、この取得された固有の識別情報が、上記記憶部に記憶されている上記固有の識別情報と一致した場合に、上記着信報知部を報知制御する
アラーム装置。
【請求項３】
請求項１又は請求項２に記載のアラーム装置であって、
上記固有の識別情報が付された非接触無線通信機器は、当該アラーム装置が適用される機器に設けられたバッテリに対して充電を行う充電台に設けられている
アラーム装置。
【請求項４】
請求項１又は請求項２に記載のアラーム装置であって、
上記固有の識別情報が付された非接触無線通信機器は、所望の場所に移動及び貼り付け自在とされた非接触無線通信シールである
アラーム装置。
【請求項５】
非接触無線通信部が、固有の識別情報が付された非接触無線通信機器と非接触無線通信を行うことで、該非接触無線通信機器から上記固有の識別情報を取得するステップと、
関連付け記憶制御部が、上記ステップにおいて上記非接触無線通信部により上記非接触無線通信機器から取得された上記固有の識別情報に関連付けて、所望のアラーム時刻を示すアラーム時刻情報を記憶部に記憶するステップと、
現在時刻をカウントする計時部で計時されている現在時刻が、上記記憶部に記憶されているアラーム時刻情報で示されるアラーム時刻となった際に、制御部が、上記非接触無線通信機器から上記固有の識別情報を取得するように上記非接触無線通信部を制御し、上記非接触無線通信部が上記固有の識別情報を取得できない場合、上記アラーム報知部を非報知制御し、上記非接触無線通信部により上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御するステップと
を有するアラーム方法。
【請求項６】
固有の識別情報が付された非接触無線通信機器と非接触無線通信を行うことで、該非接触無線通信機器から上記固有の識別情報を取得するように非接触無線通信部を非接触無線通信制御する非接触無線通信制御部としてコンピュータを機能させ、
コンピュータを上記非接触無線通信制御部として機能させることで上記非接触無線通信機器から取得された上記固有の識別情報に関連付けて、所望のアラーム時刻を示すアラーム時刻情報を記憶部に記憶する関連付け記憶制御部としてコンピュータを機能させ、
現在時刻をカウントする計時部で計時されている現在時刻が、上記記憶部に記憶されているアラーム時刻情報で示されるアラーム時刻となった際に、上記非接触無線通信機器から上記固有の識別情報を取得するように上記非接触無線通信部を制御する上記非接触無線通信制御部としてコンピュータを機能させ、コンピュータを当該非接触無線通信制御部として機能させることで上記固有の識別情報を取得できない場合、上記アラーム報知部を非報知制御し、上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御する制御部としてコンピュータを機能させる
アラーム制御プログラム。
【請求項７】
固有の識別情報が付された非接触無線通信機器と非接触無線通信を行うことで、該非接触無線通信機器から上記固有の識別情報を取得する非接触無線通信部と、
上記非接触無線通信部により上記非接触無線通信機器から取得された上記固有の識別情報に関連付けて、所望のアラーム時刻を示すアラーム時刻情報を記憶部に記憶する関連付け記憶制御部と、
現在時刻をカウントする計時部と、
所定のアラーム報知動作を行うアラーム報知部と、
上記計時部で計時されている現在時刻が、上記記憶部に記憶されているアラーム時刻情報で示されるアラーム時刻となった際に、上記非接触無線通信機器から上記固有の識別情報を取得するように上記非接触無線通信部を制御し、上記非接触無線通信部が上記固有の識別情報を取得できない場合、上記アラーム報知部を非報知制御し、上記非接触無線通信部により上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御する制御部と
を有する携帯端末装置。
【請求項８】
請求項７に記載の携帯端末装置であって、
少なくとも電話通信、及び／又は、電子メール通信を行うための無線通信部と、
上記電話着信、及び／又は、上記電子メール着信を報知するための着信報知部と、
少なくとも電話番号、及び／又は、電子メールアドレスが各ユーザ毎に登録されると共に、該各ユーザのうち、電話着信、及び／又は、電子メール着信を許可するユーザを示す着信許可情報が記憶された電話帳メモリとを有し、
上記制御部は、上記無線通信部を介して電話着信、及び／又は、電子メール着信があった際に、上記非接触無線通信機器から上記固有の識別情報を取得するように上記非接触無線通信部を制御し、上記非接触無線通信部が上記固有の識別情報を取得でき、かつ、この取得された固有の識別情報が、上記記憶部に記憶されている上記固有の識別情報と一致した場合に、上記着信報知部を報知制御する
携帯端末装置。
【発明の詳細な説明】
【技術分野】
【０００１】
本発明は、目覚まし時計機能やスケジュール機能等に用いられるアラーム機能を備えた、例えば携帯電話機、ＰＨＳ電話機（PHS：Personal Handyphone System）、ＰＤＡ装置（PDA：Personal Digital Assistant）、携帯ゲーム機、ノート型のパーソナルコンピュータ装置等の携帯端末機器等に適用して好適なアラーム装置、アラーム方法、アラーム制御プログラム、及び携帯端末装置に関し、特にユーザが設定したアラームが、意図しない時間や場所で鳴動する不都合を防止したアラーム装置、アラーム方法、アラーム制御プログラム、及び携帯端末装置に関する。
【背景技術】
【０００２】
今日において広く普及している携帯電話機には、予めユーザにより設定された時刻となったタイミングで、電子音の発音やバイブレーションユニットの振動駆動等により、現在時刻が上記設定された時刻となったことをユーザに通知するアラーム機能が設けられている。このアラーム機能は、目覚まし時計代わりに使用されることも多く、日常生活における朝の起床時は勿論のこと、旅行先や出張先等でも広く利用されている。
【０００３】
ここで、このようなアラーム機能の制御を行う先行技術として、特開２００６−２１１２８７号の公開特許公報（特許文献１）に、予め設定されているアラーム発生条件のほか、特定施設を利用中であるか否かというユーザの現在の行動を加味したアラーム制御を行う携帯端末装置が開示されている。
【０００４】
この携帯端末装置の場合、ＣＰＵ２１が、時計機能から現在時刻を取得すると共に、ＧＰＳ受信部から当該携帯端末装置の現在位置情報を取得する。また、非接触ＩＣカード処理チップを介して取得した情報に基づいて、特定施設の入退場を監視する。そして、アラーム時刻、或いはアラーム位置に到達した際に、特定施設を利用中であるか否かに応じて報知用スピーカ、報知用ＬＥＤによるアラーム報知を行うか否かを制御する。
【０００５】
【特許文献１】特開２００６−２１１２８７号公報（第１０頁〜第１２頁、図６、図７）
【発明の開示】
【発明が解決しようとする課題】
【０００６】
しかし、携帯電話機のアラーム機能は、アラームが鳴動する時刻に自分が居る場所を想定して設定されることが多い。このため、アラームが鳴動する時刻を設定した際に想定していた場所とは異なる場所にユーザが居ることとなった場合には、ユーザが意図しない場所でアラームが鳴動する不都合を生ずる問題があった。
【０００７】
具体的には、例えば、自宅では、通常、午前７時００分に起床するため、毎日、この午前７時００分にアラームが鳴動するように目覚まし時計機能の設定を行っていた場合において、このユーザが旅行等に行き、午前９時００分に起床すれば良い場合でも、アラーム設定を解除しない限り、午前７時００分にアラームが鳴動する不都合を生ずる。
【０００８】
同様に、毎日、午前８時００分にアラームが鳴動するように目覚まし時計機能の設定を行っていた場合において、このユーザが早朝出勤等により、午前７時００分には起床し、午前８時００分には通勤電車に乗車していた場合、アラーム設定を解除しない限り、当該ユーザが乗車している電車の中でアラームが鳴動する不都合を生ずる。
【０００９】
本発明は、上述の課題に鑑みてなされたものであり、アラーム設定時にユーザが意図した場所以外の場所に該ユーザが居る場合に、アラームが鳴動する不都合を防止したアラーム装置、アラーム方法、アラーム制御プログラム、及び携帯端末装置の提供を目的とする。
【課題を解決するための手段】
【００１０】
本発明に係るアラーム装置は、上述の課題を解決するために、
固有の識別情報が付された非接触無線通信機器と非接触無線通信を行うことで、該非接触無線通信機器から上記固有の識別情報を取得する非接触無線通信部と、
上記非接触無線通信部により上記非接触無線通信機器から取得された上記固有の識別情報に関連付けて、所望のアラーム時刻を示すアラーム時刻情報を記憶部に記憶する関連付け記憶制御部と、
現在時刻をカウントする計時部と、
所定のアラーム報知動作を行うアラーム報知部と、
上記計時部で計時されている現在時刻が、上記記憶部に記憶されているアラーム時刻情報で示されるアラーム時刻となった際に、上記非接触無線通信機器から上記固有の識別情報を取得するように上記非接触無線通信部を制御し、上記非接触無線通信部が上記固有の識別情報を取得できない場合、上記アラーム報知部を非報知制御し、上記非接触無線通信部により上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御する制御部と
を有する。
【００１１】
また、本発明に係るアラーム方法は、上述の課題を解決するために、
非接触無線通信部が、固有の識別情報が付された非接触無線通信機器と非接触無線通信を行うことで、該非接触無線通信機器から上記固有の識別情報を取得するステップと、
関連付け記憶制御部が、上記ステップにおいて上記非接触無線通信部により上記非接触無線通信機器から取得された上記固有の識別情報に関連付けて、所望のアラーム時刻を示すアラーム時刻情報を記憶部に記憶するステップと、
現在時刻をカウントする計時部で計時されている現在時刻が、上記記憶部に記憶されているアラーム時刻情報で示されるアラーム時刻となった際に、制御部が、上記非接触無線通信機器から上記固有の識別情報を取得するように上記非接触無線通信部を制御し、上記非接触無線通信部が上記固有の識別情報を取得できない場合、上記アラーム報知部を非報知制御し、上記非接触無線通信部により上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御するステップと
を有する。
【００１２】
また、本発明に係るアラーム制御プログラムは、上述の課題を解決するために、
固有の識別情報が付された非接触無線通信機器と非接触無線通信を行うことで、該非接触無線通信機器から上記固有の識別情報を取得するように非接触無線通信部を非接触無線通信制御する非接触無線通信制御部としてコンピュータを機能させ、
コンピュータを上記非接触無線通信制御部として機能させることで上記非接触無線通信機器から取得された上記固有の識別情報に関連付けて、所望のアラーム時刻を示すアラーム時刻情報を記憶部に記憶する関連付け記憶制御部としてコンピュータを機能させ、
現在時刻をカウントする計時部で計時されている現在時刻が、上記記憶部に記憶されているアラーム時刻情報で示されるアラーム時刻となった際に、上記非接触無線通信機器から上記固有の識別情報を取得するように上記非接触無線通信部を制御する上記非接触無線通信制御部としてコンピュータを機能させ、コンピュータを当該非接触無線通信制御部として機能させることで上記固有の識別情報を取得できない場合、上記アラーム報知部を非報知制御し、上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御する制御部としてコンピュータを機能させる。
【００１３】
また、本発明に係る携帯端末装置は、上述の課題を解決するために、
固有の識別情報が付された非接触無線通信機器と非接触無線通信を行うことで、該非接触無線通信機器から上記固有の識別情報を取得する非接触無線通信部と、
上記非接触無線通信部により上記非接触無線通信機器から取得された上記固有の識別情報に関連付けて、所望のアラーム時刻を示すアラーム時刻情報を記憶部に記憶する関連付け記憶制御部と、
現在時刻をカウントする計時部と、
所定のアラーム報知動作を行うアラーム報知部と、
上記計時部で計時されている現在時刻が、上記記憶部に記憶されているアラーム時刻情報で示されるアラーム時刻となった際に、上記非接触無線通信機器から上記固有の識別情報を取得するように上記非接触無線通信部を制御し、上記非接触無線通信部が上記固有の識別情報を取得できない場合、上記アラーム報知部を非報知制御し、上記非接触無線通信部により上記固有の識別情報が取得された場合、この取得された固有の識別情報と、上記記憶部に記憶されている上記固有の識別情報とを比較し、当該両者が不一致の場合は上記アラーム報知部を非報知制御し、当該両者が一致した場合に上記アラーム報知部を報知制御する制御部と
を有する。
【００１４】
このような本発明は、固有の識別情報が付された非接触無線通信機器と非接触無線通信を行うことで、該非接触無線通信機器から上記固有の識別情報を取得し、この固有の識別情報を、所望のアラーム時刻を示すアラーム時刻情報と関連付けて記憶部に記憶しておく。そして、計時部で計時されている現在時刻が、上記記憶部に記憶されているアラーム時刻情報で示されるアラーム時刻となった際に、再度、上記非接触無線通信機器から上記固有の識別情報の取得を図り、この固有の識別情報の取得をできない場合、現在、ユーザが、このアラーム設定を行った際に想定した場所とは異なる場所に居る可能性が高いため、アラーム報知部を非報知制御とする。
【００１５】
また、計時部で計時されている現在時刻が、上記記憶部に記憶されているアラーム時刻情報で示されるアラーム時刻となった際に、再度、上記非接触無線通信機器から上記固有の識別情報の取得を図ることで、上記固有の識別情報を取得できた場合、この取得された固有の識別情報と、上記記憶部に記憶されている上記固有の識別情報とを比較する。そして、当該両者が不一致の場合は、現在、ユーザが、このアラーム設定を行った際に想定した場所とは異なる場所に居る可能性が高いため、アラーム報知部を非報知制御とする。これに対して、上記両者が一致した場合には、現在、ユーザが、このアラーム設定を行った際に想定した場所に居ることを意味するため、アラーム報知部を報知制御する。
【発明の効果】
【００１６】
本発明は、アラーム設定時にユーザが意図した場所以外の場所に該ユーザが居る場合に、アラームが鳴動する不都合を防止することができる。
【発明を実施するための最良の形態】
【００１７】
本発明は、アラーム機能を有する携帯電話機に適用することができる。
【００１８】
［携帯電話機の構成］
まず、図１に、当該実施の形態の携帯電話機のブロック図を示す。この図１に示すように、この実施の形態の携帯電話機は、基地局との間で音声通話、テレビ電話通話、電子メール、Ｗｅｂデータ（Web：World Wide Web）等の無線通信を行うアンテナ１及び通信回路２と、受話音声等を出力するためのスピーカ部３と、送話音声等を集音するためのマイクロホン部４と、操作メニュー、電子メール、画像（静止画像及び動画像）等を表示するための表示部５と、十字キー、決定キー、数字キー等の複数の操作キーを備えた操作部６と、発着信等をユーザに光で通知するための発光部７（ＬＥＤ）とを有している。
【００１９】
また、この携帯電話機は、所望の被写体の静止画像或いは動画像を撮像するためのカメラ部８と、当該携帯電話機の筐体を振動させてアラーム時刻や発着信等をユーザに通知するためのバイブレーションユニット９と、現在時刻をカウントするタイマ１０と、後述する充電台に設けられた非接触ＩＣタグや非接触ＩＣタグシールとの間で非接触無線通信を行い固有の非接触ＩＣ識別番号（非接触ＩＣＩＤ）を取得するための非接触無線通信アンテナ１１及び非接触無線通信部１２とを有している。
【００２０】
また、この携帯電話機は、上記基地局を介した無線通信処理を行うためのコミュニケーションプログラムや各種アプリケーションプログラムの他、これら各アプリケーションプログラムで取り扱われる各種データ等が記憶されたメモリ１３と、当該携帯電話機全体の動作を制御する制御部１４とを有している。
【００２１】
メモリ１３には、上記コミュニケーションプログラムの他、目覚まし時計機能やスケジュール帳機能等で設定されたアラームの鳴動制御を行うためおアラーム制御プログラムと、非接触無線通信部１２を用いた非接触無線通信制御を行うための非接触無線通信プログラムと、カメラ部８の撮像制御を行うためのカメラ制御プログラムと、電子メールの作成や送受信を制御するための電子メール管理プログラムと、ユーザのスケジュールが登録されたスケジュール帳の管理を行うためのスケジュール帳管理プログラムと、コミュニケーションネットワークやインターネット等の所定のネットワーク上に設けられたサーバ装置上で公開されているＷｅｂページを閲覧するためのＷｅｂブラウジングプログラムと、電話帳の管理を行うための電話帳管理プログラムと、音楽コンテンツの再生を行うための音楽プレーヤプログラム等が記憶されている。
【００２２】
また、メモリ１３には、ユーザの所望のスケジュールやこのスケジュールのアラーム時刻等が登録されるスケジュール帳と、ユーザの知人や友人等のユーザ名、静止画像（顔写真等）、住所、電話番号、電子メールアドレス、生年月日、後述する着信許可情報等が登録された電話帳と、音楽プレーヤプログラムに基づいて再生される音楽データと、カメラ制御プログラムのビューワ機能に基づいて再生される静止画像データ及び動画像データと、送受信された電子メールコンテンツと、電話及び電子メールの発着信履歴と、後述する充電台（図３の符号２１）に設けられた非接触ＩＣタグや非接触ＩＣタグシールから取得された非接触ＩＣＩＤ等が記憶されている。
【００２３】
［アラーム設定動作］
このような実施の形態の携帯電話機は、ユーザが目覚まし時計機能やスケジュール帳機能等でアラームの鳴動時刻の設定を行うモードとして、鳴動時刻のみの設定を行う「通常モード」と、鳴動時刻及び鳴動場所の設定が可能な「非接触ＩＣタグ関連付けモード」を有している。図２のフローチャートに、アラーム設定動作の流れを示す。制御部１４は、上述のようにユーザが目覚まし時計機能やスケジュール帳機能等でアラームの鳴動時刻の設定操作を行った際に、メモリ１３に記憶されているアラーム制御プログラムを起動して、この図２のフローチャートに示す処理を開始する。
【００２４】
制御部１４は、このアラーム制御プログラムを起動すると、上記「通常モード」及び「非接触ＩＣタグ関連付けモード」の選択メニューを表示部５に表示制御して、いずれかのモードの選択をユーザに対して促す。ステップＳ１では、制御部１４が、このいずれかのモードのうち、「非接触ＩＣタグ関連付けモード」が選択されたか否かを判別し、「非接触ＩＣタグ関連付けモード」が選択されたものと判別した場合は処理をステップＳ２に進め、「通常モード」が選択されたものと判別した場合は処理をステップＳ５に進める。
【００２５】
ステップＳ５では、制御部１４は、ユーザにより指定された時刻にアラーム設定処理を行い、この図２のフローチャートの処理を終了する。この場合、制御部１４は、タイマ１０で計時される現在時刻が、ユーザにより設定されたアラーム時刻となった際に、スピーカ部３を介した所定の電子音の発音制御、発光部７を介した所定色の光の発光制御、及びバイブレーションユニットを介した当該携帯電話機の筐体の振動制御のうち、いずれか一つ或いは複数の制御を行う、通常のアラーム制御を行うこととなる。
【００２６】
一方、「非接触ＩＣタグ関連付けモード」が選択されたものと判別することで処理をステップＳ２に進めると、制御部１４は、非接触無線通信部１２を非接触無線通信制御するおとで、非接触ＩＣタグに付されている固有の識別情報である非接触ＩＣＩＤを取得して処理をステップＳ３に進める。
【００２７】
具体的に説明すると、図３は、当該携帯電話機２０の充電台２１に対して非接触ＩＣタグ２２が設けられている例である。この充電台２１は、例えば当該携帯電話機２０のユーザの自宅に設けられているものである。この充電台２１は、当該携帯電話機２０のバッテリに対して充電を行うものであり、その筐体内には、充電制御を行うための充電制御部２３と、携帯電話機２０に設けられている非接触無線通信部１２との間で非接触無線通信を行う非接触無線通信部２４とを有している。この充電台２１の非接触無線通信部２４には、固有の識別情報である非接触ＩＣＩＤが付された非接触ＩＣタグ２２が設けられている。
【００２８】
この充電台２１を用いる場合、携帯電話機２０の制御部１４は、図２のフローチャートのステップＳ２において、非接触無線通信部１２を介して、この充電台２１に設けられている非接触ＩＣタグ２２の非接触ＩＣＩＤを取得することとなる。
【００２９】
また、図４は、シール化された非接触ＩＣタグ３０（＝非接触ＩＣタグシール３０）を示している。この非接触ＩＣタグシール３０は、ユーザが携帯可能となっており、例えば旅行時や出張時等における宿泊先の机の上等の所望の場所に貼り付け可能となっている。当該携帯電話機２０に対して充電台２１を用いて充電を行う場合、図３に示すように、充電器２５を充電台２１に接続して用いるが、この充電器２５は、図３中点線で図示するように、当該携帯電話機２０の充電コネクタ端子にも接続可能となっている。このため、非接触ＩＣタグシール３０を用いる場合には、充電器２５は、ユーザにより上記宿泊先まで携帯され、図４に示すように当該携帯電話機２０の充電コネクタ端子に接続されて用いられることとなる。
【００３０】
この非接触ＩＣタグシール３０を用いる場合、携帯電話機２０の制御部１４は、図２のフローチャートのステップＳ２において、非接触無線通信部１２を介して、この非接触ＩＣタグシール３０に付されている非接触ＩＣＩＤを取得することとなる。
【００３１】
次に、このように非接触ＩＣＩＤを取得すると、携帯電話機２０の制御部１４は、図２のフローチャートのステップＳ３において、非接触ＩＣＩＤの取得に成功したか否かを判別し、非接触ＩＣＩＤの取得ができない場合には、処理をステップＳ５に進め、上述の通常モードにおけるアラーム設定処理を行い、この図２のフローチャートに示す処理を終了する。
【００３２】
これに対して、非接触ＩＣＩＤを取得した場合、制御部１４は、処理をステップＳ４に進め、この取得した非接触ＩＣＩＤをメモリ１３に記憶制御すると共に、この非接触ＩＣＩＤに関連付けて、ユーザにより設定されたアラーム時刻をメモリ１３に記憶制御して、この図２のフローチャートの全処理を終了する。
【００３３】
上述のように、充電台２１は例えばユーザの自宅に設置されているものであり、非接触ＩＣタグシール３０は、旅行時や出張時等における宿泊先の机の上等の所望の場所に貼り付けられているものである。このため、ユーザにより設定されたアラーム時刻に関連付けて非接触ＩＣＩＤをメモリ１３に登録するということは、該アラーム時刻が、所望の場所に関連付けられて登録されたことを意味する。
【００３４】
［アラーム鳴動動作］
次に、「非接触ＩＣタグ関連付けモード」において、アラーム時刻に非接触ＩＣＩＤを関連付けて登録した場合、アラーム設定を行った際にユーザが意図していた場所に該ユーザが居る場合のみ、アラームが鳴動されるようになっている。図５のフローチャートに、このアラーム鳴動動作の流れを示す。制御部１４は、「非接触ＩＣタグ関連付けモード」において、アラーム時刻に非接触ＩＣＩＤが関連付けて登録され、図１に示すタイマ１０で計時されている現在時刻が、アラーム時刻となったことを検出した際に、メモリ１３に記憶されているアラーム制御プログラムに基づいて、この図５のフローチャートに示す処理を開始する。
【００３５】
まず、ステップＳ１１では、制御部１４が、図３に示す充電台２１に設けられている非接触ＩＣタグ２２、或いは図４に示す非接触ＩＣタグシール３０から非接触ＩＣＩＤを取得するように、図１に示す非接触無線通信部１２を非接触無線通信制御して処理をステップＳ１２に進める。
【００３６】
ステップＳ１２では、制御部１４が、非接触無線通信部１２を介して非接触ＩＣＩＤを取得できたか否かを判別する。この非接触ＩＣＩＤを取得できないということは、当該携帯電話機２０が充電台２１にセットされていないこと、或いは当該携帯電話機２０が非接触ＩＣタグシール３０上に載置されていないことを意味する。そして、この場合は、アラーム設定を行った際にユーザが意図していた場所以外の場所にユーザが居ることを意味する。
【００３７】
このため、非接触ＩＣＩＤを取得できない場合、制御部１４は処理をステップＳ１５に進め、アラームを鳴動させることなく（アラームの非実行制御）、そのままこの図５のフローチャートの処理を終了する。これにより、アラーム設定を行った際にユーザが意図していた場所以外の場所に該ユーザが居る可能性が高いにもかかわらず、アラームを鳴動させてしまう不都合を防止することができる。
【００３８】
これに対して、非接触ＩＣＩＤを取得できた場合、制御部１４は処理をステップＳ１３に進め、先にメモリ１３に登録されている非接触ＩＣＩＤと、アラーム時刻となった際に取得した非接触ＩＣＩＤとを比較し、両者が一致したか否かを判別する。当該両者が一致しないということは、アラーム設定を行った際に非接触ＩＣＩＤを取得した充電台以外の充電台に当該携帯電話機が載置されており、或いはアラーム設定を行った際に非接触ＩＣＩＤを取得した非接触ＩＣタグシール３０以外の非接触ＩＣタグシール３０上に当該携帯電話機が載置されていることを意味する。そして、この場合も、アラーム設定を行った際にユーザが意図していた場所以外の場所にユーザが居ることを意味する。
【００３９】
このため、先にメモリ１３に登録されている非接触ＩＣＩＤと、アラーム時刻となった際に取得した非接触ＩＣＩＤとが一致しない場合、処理をステップＳ１５に進め、アラームを鳴動させることなく（アラームの非実行制御）、そのままこの図５のフローチャートの処理を終了する。これにより、アラーム設定を行った際にユーザが意図していた場所以外の場所に該ユーザが居る可能性が高いにもかかわらず、アラームを鳴動させてしまう不都合を防止することができる。
【００４０】
一方、先にメモリ１３に登録されている非接触ＩＣＩＤと、アラーム時刻となった際に取得した非接触ＩＣＩＤとが一致するということは、アラーム設定を行った際に非接触ＩＣＩＤを取得した充電台に当該携帯電話機が載置されており、或いはアラーム設定を行った際に非接触ＩＣＩＤを取得した非接触ＩＣタグシール３０上に当該携帯電話機が載置されていることを意味する。このため、制御部１４は処理をステップＳ１４に進め、スピーカ部３を介した所定の電子音の発音制御、発光部７を介した所定色の光の発光制御、及びバイブレーションユニットを介した当該携帯電話機の筐体の振動制御のうち、いずれか一つ或いは複数の制御を行う。これにより、ユーザの意図した時刻及び場所において、所定のアラーム鳴動動作が行われることとなる。
【００４１】
〔選択されたユーザのみに対する着信通知制御〕
ここで、当該実施の形態の携帯電話機の場合、「非接触ＩＣタグ関連付けモード」でアラーム設定を行った場合、所望のユーザのみ着信通知を許可することが可能となっている。この場合、ユーザはメモリ１３の電話帳に登録されているユーザのうち、電話着信、及び（又は）電子メール着信を許可するユーザを、操作部６を介して選択操作する。この選択操作がなされると、制御部１４は、上記着信許可のなされたユーザの電話番号、及び（又は）電子メールアドレスと、図２のフローチャートのステップＳ２で取得してメモリ１３に登録した非接触ＩＣＩＤ（＝充電台２１の非接触ＩＣタグ２２の非接触ＩＣＩＤ、或いは非接触ＩＣタグシール３０の非接触ＩＣＩＤ）との関連付け処理を行う。
【００４２】
次に制御部１４は、図１に示す通信回路２を介して電話着信、或いは電子メール着信があった際に、非接触無線通信部１２を介して非接触ＩＣＩＤの取得を図ると共に、電話着信の際に通知される相手の電話番号、或いは相手の電子メールアドレスに基づいてメモリ１３の電話帳を検索することで、該着信のあったユーザに対して着信許可がなされているか否かを判別する。そして、着信のあった際に取得した非接触ＩＣＩＤとメモリ１３に登録されている非接触ＩＣＩＤとが一致し、かつ、着信のあったユーザに対して着信許可がなされている場合のみ、スピーカ部３を介した所定の電子音の発音制御、発光部７を介した所定色の光の発光制御、及びバイブレーションユニットを介した当該携帯電話機の筐体の振動制御のうち、いずれか一つ或いは複数の着信通知制御を行う。これにより、「非接触ＩＣタグ関連付けモード」でアラーム設定を行った場合には、所望のユーザのみ、着信通知を許可することができる。
【００４３】
［実施の形態の効果］
以上の説明から明らかなように、この実施の形態の携帯電話機は、充電台２１に設けられた非接触ＩＣＩＤや非接触ＩＣタグシール３０の非接触ＩＣＩＤをアラーム時刻と関連付けしてメモリ１３に記憶しておく。そして、現在時刻がアラーム時刻となった際に、再度、上記充電台２１或いは非接触ＩＣタグシール３０から非接触ＩＣＩＤの取得を図り、この取得した非接触ＩＣＩＤとメモリ１３に登録されている非接触ＩＣＩＤとが一致した場合のみ、所定のアラーム鳴動制御を行う。これにより、場所と時刻とを関連付けてアラーム制御を行うことができ、ユーザがアラーム設定を行った際に意図していた場所以外の場所でアラーム鳴動がなされる不都合を防止することができる。
【００４４】
［変形例］
上述の実施の形態は、本発明を携帯電話機に適用した例であったが、本発明は、この他、目覚まし時計機能やスケジュール機能等に用いられるアラーム機能を備えていれば、例えばＰＨＳ電話機（PHS：Personal Handyphone System）、ＰＤＡ装置（PDA：Personal Digital Assistant）、携帯ゲーム機、ノート型のパーソナルコンピュータ装置等の携帯端末機器等に適用してよい。いずれの場合も、上述と同様の効果を得ることができる。
【００４５】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【００４６】
【図１】本発明を適用した実施の形態となる携帯電話機のブロック図である。
【図２】実施の形態の携帯電話機におけるアラーム設定動作の流れを示すフローチャートである。
【図３】実施の形態の携帯電話機に充電を行う充電台に非接触ＩＣタグが設けられた例を示す図である。
【図４】移動及び貼り付け自由な非接触ＩＣタグシールを説明するための図である。
【図５】実施の形態の携帯電話機におけるアラーム鳴動動作の流れを示すフローチャートである。
【符号の説明】
【００４７】
１  アンテナ、２  通信回路、３  スピーカ部、４  マイクロホン部、５  表示部、６  操作部、７  発光部、８  カメラ部、９  バイブレーションユニット、１０  タイマ、１１  非接触無線通信アンテナ、１２  非接触無線通信部、１３  メモリ、１４  制御部、２０  携帯電話機、２１  充電台、２２  非接触ＩＣタグ、２３  充電制御部、２４  非接触無線通信部、２５  充電器、３０  非接触ＩＣタグシール
【図１】
2009250729.tif 000003
【図２】
2009250729.tif 000004
【図３】
2009250729.tif 000005
【図４】
2009250729.tif 000006
【図５】
2009250729.tif 000007